(57)【要約】【課題】  １本の支持体に２検体分の試薬部を設けているため、多検体の処理能力を大幅に向上させることができると共に、同じスペースでも２倍の検査用試薬部を保持した試験紙を収納することができる多項目試験紙および検体中の被検物質の検出方法を提供することを目的とする。【解決手段】  検体中の被検物質と反応して発色する検査用試薬部を支持体の一端部に設け、更に前記検査用試薬部と同一の検査用試薬部を前記支持体の他端部に設けることを特徴とする多項目試験紙。【選択図】図１
2007292718.tif 000002
【特許請求の範囲】
【請求項１】
検体中の被検物質と反応して発色する検査用試薬部を支持体の一端部に設け、更に前記検査用試薬部と同一の検査用試薬部を前記支持体の他端部に設けることを特徴とする多項目試験紙。
【請求項２】
検査用試薬部を支持体の中間部に設ける請求項１記載の多項目試験紙。
【請求項３】
検体中の被検物質と反応して発色する検査用試薬部を支持体上に設け、更に前記検査用試薬部と同一の検査用試薬部を前記検査用試薬部に対して連続的に設けることを特徴とする多項目試験紙。
【請求項４】
検体が尿、血液、血漿、血清、唾液、髄液および喀痰から選択される請求項１〜３記載の多項目試験紙。
【請求項５】
支持体の一端部に設けた検査用試薬部における発色の度合を自動検査装置を用いて光学的に検出し、更に支持体の他端部に設けた前記検査用試薬部と同一の検査用試薬部における発色の度合を光学的に検出することを特徴とする検体中の被検物質の検出方法。
【請求項６】
検査用試薬部を支持体の中間部に設ける請求項５記載の検体中の被検物質の検出方法。
【請求項７】
支持体上に設けた検査用試薬部と同一の検査用試薬部を前記検査用試薬部に対して連続的に設ける請求項５記載の検体中の被検物質の検出方法。
【請求項８】
検出手段が反射率計およびＣＣＤセンサーから選択される請求項５〜７記載の検体中の被検物質の検出方法。
【発明の詳細な説明】
【技術分野】
【０００１】
本発明は検査結果を目視により、又は装置を用いて判定する多項目試験紙および検体中の被検物質の検出方法に関するものである。
【背景技術】
【０００２】
尿や血液中の被検物質の検査は、医療における臨床検査として疾病の予防や診断に不可欠である。この検査方法としては、採尿や採血を行い、その中の被検物質の存在を確認したり、定量するものが挙げられる。
しかしながら、この方法は操作が煩雑で、しかも病院などの特定の場所でないと検査を行うことができないばかりでなく、分析に時間がかかるなどの問題がある。
【０００３】
このため、臨床検査における、尿検査に代表される各種液体試料の初期診断情報としてのスクリーニングや集団検診として、乾式の試験紙を用いて検査を行う、所謂ディップ・アンド・リード方式が数多く提案されている（例えば、特許文献１、２、３、４、５、６、７および８参照）。
【０００４】
このディップ・アンド・リード方式とは、コップに入れた検体に試験紙を浸した後に引き上げて、試験紙上の検出部位の呈色応答を目視により、又は光学装置で読み取る判定方式をいう。目視の場合は、予め別に用意されている標準色調表と試験紙の呈色とを対比することにより判定し、光学装置の場合は、予め組み込まれた検量線に当てはめて呈色強度を分析して判定する。
【０００５】
使用される試験紙の外観は、プラスチック又は紙の支持体上に、分析対象に対応した各種の試薬を含浸させた濾紙などを方形に裁断した検出部位を１又は２以上設置したものが一般的である。
【０００６】
この検出部位には、それぞれ異なる検査項目に対応する試薬が乾燥状態で仕込まれており、液体試料中の被検物質との反応により呈色反応といった目視又は光学装置で判断可能な応答を示す。
この種の検査は、測定項目の数も増加しており、現在では１つの試験紙で１０項目以上の検査ができる多項目試験紙も実用化されている（例えば、特許文献９参照）。
【０００７】
しかしながら、従来の試験紙は、１本の支持体に１検体分の試薬部が設けられているに過ぎず、多検体を処理するには、多大な時間を要すると共に、試験紙を収納するボトルのスペースも広いものが必要であるという問題があった。
【０００８】
一方、１本の支持体に１検体分の検出部位を多数連設した多項目試験紙が提案されている（例えば、特許文献１０参照）。
しかしながら、この多項目試験紙は、１検体分の検出部位が多数連設されているため、光学装置専用の滴下型しか使用できず、ディップ・アンド・リード方式に適さないという問題があった。
【０００９】
【特許文献１】特開昭６０−４０９５３号公報
【特許文献２】実開昭６４−５７号公報
【特許文献３】実開平２−６７２６３号公報
【特許文献４】特開平２−７８９５６号公報
【特許文献５】実開平６−１０８６２号公報
【特許文献６】特開平９−９６６３５号公報
【特許文献７】特開平９−１０５７４７号公報
【特許文献８】特開平９−３１８６２５号公報
【特許文献９】特開平１１−１４６２３号公報
【特許文献１０】特開２００１−２７２３９９号公報
【発明の開示】
【発明が解決しようとする課題】
【００１０】
従って本発明は、１本の支持体に２検体分の試薬部を設けることにより、光学装置を用いた滴下方式に適するばかりでなく、目視によるディップ・アンド・リード方式にも適用することができる多項目試験紙および検体中の被検物質の検出方法を提供することを目的とする。
また、本発明は、１検体分の試薬部を設けた従来の試験紙に比べて、検体処理能力を大幅に向上させることができ、更に同じスペースでも２倍の検査用試薬部を保持する試験紙を収納することができる多項目試験紙および検体中の被検物質の検出方法を提供することを目的とする。
【課題を解決するための手段】
【００１１】
本発明者は、１本の支持体に２検体分の試薬部を設けることによって上記従来の課題を解決できることを見出し、本発明を完成させた。
【００１２】
本発明は、下記のような構成からなるものである。
（１）検体中の被検物質と反応して発色する検査用試薬部を支持体の一端部に設け、更に前記検査用試薬部と同一の検査用試薬部を前記支持体の他端部に設けることを特徴とする多項目試験紙。
（２）検査用試薬部を支持体の中間部に設ける（１）記載の多項目試験紙。
（３）検体中の被検物質と反応して発色する検査用試薬部を支持体上に設け、更に前記検査用試薬部と同一の検査用試薬部を前記検査用試薬部に対して連続的に設けることを特徴とする多項目試験紙。
（４）検体が尿、血液、血漿、血清、唾液、髄液および喀痰から選ばれる（１）〜（３）記載の多項目試験紙。
（５）支持体の一端部に設けた検査用試薬部における発色の度合を自動検査装置を用いて光学的に検出し、更に支持体の他端部に設けた前記検査用試薬部と同一の検査用試薬部における発色の度合を光学的に検出することを特徴とする検体中の被検物質の検出方法。
（６）検査用試薬部を支持体の中間部に設ける（５）記載の検体中の被検物質の検出方法。
（７）支持体上に設けた検査用試薬部と同一の検査用試薬部を前記検査用試薬部に対して連続的に設ける（５）記載の検体中の被検物質の検出方法。
（８）検出手段が反射率計およびＣＣＤセンサーから選ばれる（５）〜（７）記載の検体中の被検物質の検出方法。
【発明の効果】
【００１３】
本発明の方法によれば、１本の支持体に２検体分の試薬部を設けることによって、光学装置を用いた滴下方式に適するばかりでなく、目視によるディップ・アンド・リード方式にも適し、更に多検体を短時間で処理できると共に、同じスペースでも２倍の検査用試薬部を保持する試験紙を収納することができる。
以下、本発明について更に詳細に説明する。
【発明を実施するための最良の形態】
【００１４】
図１、図２および図３は本発明に係る多項目試験紙の一実施例を示す平面図である。図１〜図３において、１は多項目試験紙、２は支持体、３〜５は検査用試薬部を示す。
【００１５】
本発明においては、３〜５の検査用試薬部を支持体２の一端部とは別に、支持体２の他端部（図１参照）、中間部（図２参照）または前記検査用試薬部と連続的（図３参照）に設けたことが最も特徴がある点である。このように本発明では、支持体２に２検体を設けた形態とすることで、自動検査装置が多項目試験紙１をピックアップする時間を短縮することができるので、時間あたりの処理能力を大幅に向上させることができる。
また、従来は試験紙ボトル１００枚で１００検体分であったため、２００検体分を自動検査装置にセットする場合、２ボトル分のスペースが必要であったが、本発明においては、支持体２に２検体分を設けることによって同じスペースでも２倍の検査用試薬部を保持する試験紙を収納することができる。
【００１６】
本発明に適用できる検体としては、特に限定されないが、例えば、尿、血液、血漿、血清、唾液、髄液および喀痰などから選ばれるものが挙げられる。検査用試薬部３〜５で検出できる検体中の被検物質としては、例えば、蛋白質、尿素、クレアチニン、アンモニア、尿酸、ビリルビン、潜血、ウロビリノーゲン、ケトン体、白血球、亜硝酸塩、比重、ｐＨ、ブドウ糖、乳酸、コレステロールなどが挙げられる。
【００１７】
検査用試薬部３〜５は、支持体２に検査試薬を保持させて形成されるが、支持体２としては検査試薬を保持し得るものであれば、特に限定されるものではなく、公知のものの中から適宜選択すれば良い。具体的には、例えば上質紙、コート紙、アート紙などの紙類、ポリスチレン、ポリエチレン、ポリ塩化ビニル、ポリプロピレンなどの合成樹脂をベースとした合成紙が挙げられる。
【００１８】
本発明の多項目試験紙を構成する検査用試薬部３〜５に、点着、滴下、又は浸漬により含浸された検体中の被検物質は、検査用試薬部中の試薬と反応して反応体を生成する。この反応体を、目視によって検出しても良いが、好ましくは反射率計およびＣＣＤセンサーから選択されるもので検出する。
【産業上の利用可能性】
【００１９】
本発明は、１本の支持体に２検体を設けた形態とすることで、自動検査装置の処理時間を大幅に短縮することができると共に、２ボトル分必要であった試験紙ボトルのスペースが１ボトル分で足り、省スペース化を実現することができる多項目試験紙および検体中の被検物質の検出方法を提供するものである。
【図面の簡単な説明】
【００２０】
【図１】本発明に係る多項目試験紙の一実施例を示す平面図である。
【図２】本発明に係る多項目試験紙の他の実施例を示す平面図である。
【図３】本発明に係る多項目試験紙の他の実施例を示す平面図である。
【符号の説明】
【００２１】
１      多項目試験紙 
２      支持体
３〜５  検査用試薬部
【図１】
2007292718.tif 000003
【図２】
2007292718.tif 000004
【図３】
2007292718.tif 000005